(57)【特許請求の範囲】
【請求項１】
取付対象物に取付けられ且つ前後方向において前端から後端に向けて相手側コネクタが挿入されるコネクタであって、コンタクトと、前記コンタクトを保持する内部ハウジングと、前記内部ハウジングの少なくとも一部を覆う内部シェルと、前記内部シェルを保持する外部ハウジングと、前記外部ハウジングの少なくとも一部を覆う外部シェルとを備えるコネクタにおいて、
前記内部シェルは、被接続部を有し、且つ前記被接続部から延びる接続部であって前記取付対象物に直接接続される接続部を備えており、
前記被接続部と前記接続部との境界は、前記コネクタの前記前端から後方に離れた位置にあり、
前記内部シェルの前端は、前記コネクタの前記前端よりも後方に位置しており、
前記境界は、前記内部シェルの前記前端よりも後方に位置しており、
前記コネクタは、前記相手側コネクタの先端と当たる突き当て部を有しており、
前記突き当て部は、前記内部シェルの前記前端よりも後方に位置しており、
前記境界は、前記前後方向において前記突き当て部と同じ位置、又は、前記突き当て部よりも後方に位置している
コネクタ。
【請求項２】
請求項１に記載のコネクタであって、
前記突き当て部は、前記外部ハウジングに設けられている、
コネクタ。
【請求項３】
請求項１又は請求項２記載のコネクタであって、
前記接続部は、前記被接続部の後端を含む一部を折り曲げることにより形成されている、
コネクタ。
【請求項４】
請求項１乃至請求項３のいずれかに記載のコネクタであって、
前記外部シェルは、開口部を有しており、
前記接続部は、前記開口部を通じて前記取付対象物に接続される、
コネクタ。
【請求項５】
取付対象物に取付けられ且つ前後方向において前端から後端に向けて相手側コネクタが挿入されるコネクタであって、コンタクトと、前記コンタクトを保持する内部ハウジングと、前記内部ハウジングの少なくとも一部を覆う内部シェルと、前記内部シェルを保持する外部ハウジングと、前記外部ハウジングの少なくとも一部を覆う外部シェルとを備えるコネクタにおいて、
前記内部シェルは、被接続部を有し、且つ前記被接続部から延びる接続部であって前記取付対象物に直接接続される接続部を備えており、
前記被接続部と前記接続部との境界は、前記コネクタの前記前端から後方に離れた位置にあり、
前記外部シェルは、開口部を有しており、
前記接続部は、前記開口部を通じて前記取付対象物に接続されており、
前記接続部は、前記開口部を少なくとも部分的に塞ぐ塞部を有している
コネクタ。
【請求項６】
請求項５に記載のコネクタであって、
前記塞部は、前記外部シェルと少なくとも部分的に重なる鍔部であって前記外部シェルの内部に位置する鍔部を備えている
コネクタ。
【請求項７】
請求項１乃至請求項６のいずれかに記載のコネクタであって、
前記接続部は、前記取付対象物と当接するバネ部を有している、
コネクタ。
【請求項８】
請求項１乃至請求項６のいずれかに記載のコネクタであって、
前記接続部は、前記取付対象物に取付けられる取付部を有している、
コネクタ。
【発明の詳細な説明】
【技術分野】
【０００１】
本発明は、コネクタに関し、特に、内部シェル及び外部シェルを備えたコネクタに関する。
【背景技術】
【０００２】
このようなコネクタの例として、図１１に示されるように、内部シェルをハウジングに挿入して保持させ、更に当該ハウジングを外部シェルに取付けるように構成されたものがある（特許文献１）。当該コネクタの内部シェルは、内部シェル上部の前端から上方に延びるように折り曲げられた接続部を有している。当該接続部は、筐体等にねじ止め等されて固定される。また、このような接続部の他の例として、図１２に示されるように、内部シェルの前端から横方向へ延びるように折り曲げられた接続部を備えたコネクタも提案されている。
【先行技術文献】
【特許文献】
【０００３】
【特許文献１】特開平７−２２０８１６号公報
【特許文献２】特開２００８−１０３２７１号公報
【発明の概要】
【発明が解決しようとする課題】
【０００４】
特許文献１及び特許文献２に開示されているコネクタは、いずれも、相手側コネクタの相手側シェル（図１１においては図示せず）と電気的に接続する内部シェルを備えており、当該内部シェルの前端に上述した接続部を形成することによって、相手側シェル−内部シェル−筐体というグランド経路を確保することとしている。
【０００５】
しかしながら、このような構成においては、例えば、図１２に示されるように、相手側コネクタをコネクタに挿入する際に接続部と相手側コネクタとが干渉しないようにするため、相手側シェルの周りにはこれを保護するための相手側ハウジングを形成することができない。即ち、相手側シェルの周囲をも覆うように相手側ハウジングを設けた場合、当該相手側ハウジングのうち相手側シェルを覆う部分が内部接続部と干渉することとなる。
【０００６】
相手側シェルの周囲を保護する部材を備えていない場合、相手側シェルの接触面に傷が生じたり、異物等が付着したりすることにより、内部シェルとの接触不良等を起こす恐れがある。
【０００７】
そこで、本発明は、コネクタの内部シェルと筐体との直接的な電気的接続を確保すると共に、内部シェルと相手側シェルとにおける接触不良等を防止可能なコネクタを提供することを目的とする。
【課題を解決するための手段】
【０００８】
本発明によれば、第１のコネクタとして、
取付対象物に取付けられ且つ前後方向において前端から後端に向けて相手側コネクタが挿入されるコネクタであって、コンタクトと、前記コンタクトを保持する内部ハウジングと、前記内部ハウジングの少なくとも一部を覆う内部シェルと、前記内部シェルを保持する外部ハウジングと、前記外部ハウジングの少なくとも一部を覆う外部シェルとを備えるコネクタにおいて、
前記内部シェルは、被接続部を有し、且つ前記被接続部から延びる接続部であって前記取付対象物に直接接続される接続部を備えており、
前記被接続部と前記接続部との境界は、前記コネクタの前記前端から後方に離れた位置にある、
コネクタが得られる。
【０００９】
本発明によれば、第２のコネクタとして、第１のコネクタであって、
前記内部シェルの前端は、前記コネクタの前記前端よりも後方に位置しており、
前記境界は、前記内部シェルの前記前端よりも後方に位置している
コネクタが得られる。
【００１０】
本発明によれば、第３のコネクタとして、第２のコネクタであって、
前記コネクタは、前記相手側コネクタの先端と当たる突き当て部を有しており、
前記突き当て部は、前記内部シェルの前記前端よりも後方に位置しており、
前記境界は、前記前後方向において前記突き当て部と同じ位置、又は、前記突き当て部よりも後方に位置している
コネクタが得られる。
【００１１】
本発明によれば、第４のコネクタとして、第３のコネクタであって、
前記突き当て部は、前記外部ハウジングに設けられている、
コネクタが得られる。
【００１２】
本発明によれば、第５のコネクタとして、第１乃至第４のいずれかのコネクタであって、
前記接続部は、前記被接続部の後端を含む一部を折り曲げることにより形成されている、
コネクタが得られる。
【００１３】
本発明によれば、第６のコネクタとして、第１乃至第５のいずれかのコネクタであって、
前記外部シェルは、開口部を有しており、
前記接続部は、前記開口部を通じて前記取付対象物に接続される、
コネクタが得られる
【００１４】
本発明によれば、第７のコネクタとして、第６のコネクタであって、
前記接続部は、前記開口部を少なくとも部分的に塞ぐ塞部を有している
コネクタが得られる。
【００１５】
本発明によれば、第８のコネクタとして、第７のコネクタであって、
前記塞部は、前記外部シェルと少なくとも部分的に重なる鍔部であって前記外部シェルの内部に位置する鍔部を備えている
コネクタが得られる。
【００１６】
本発明によれば、第９のコネクタとして、第１乃至第８のいずれかのコネクタであって、
前記接続部は、前記取付対象物と当接するバネ部を有している、
コネクタが得られる。
【００１７】
本発明によれば、第１０のコネクタとして、第１乃至第８のいずれかのコネクタであって、
前記接続部は、前記取付対象物に取付けられる取付部を有している、
コネクタが得られる。
【発明の効果】
【００１８】
本発明によれば、内部シェルの被接続部に筐体へ向けて延びるように形成された接続部を設け、且つ、当該被接続部と接続部との境界がコネクタの前端から後方に離れた位置にあるように接続部を構成した。これにより、当該接続部と相手側シェルを包囲する相手側ハウジングとが干渉することを防ぐことができる。かかる構成によれば、内部シェルと筐体とを直接に電気的に接続させると共に、相手側シェルを包囲するようにして保護する部材（相手側シェルの周囲を覆う相手側ハウジング等）を設けることができるため、相手側シェルと内部シェルとの接触不良を防ぐことができる。
【図面の簡単な説明】
【００１９】
【図１】本発明の第１の実施の形態によるコネクタを示す斜視図である。
【図２】図１のコネクタの分解斜視図である。
【図３】図１のＩＩＩ−ＩＩＩ線に沿ったコネクタの断面図である。
【図４】図１のコネクタの上面図である。
【図５】図１のコネクタに挿入される相手側コネクタの斜視図である。
【図６】図５の相手側コネクタのＶＩ−ＶＩ線に沿った断面図である。
【図７】図５の相手側コネクタのうち相手側外部ハウジングを取り外した状態を表す斜視図である。
【図８】図１のコネクタと図５の相手側コネクタとの接続状態を表す断面図である。なお、図の断面は、図１のＩＩＩ−ＩＩＩ線及び図５のＶＩ−ＶＩ線の夫々に対応する断面である。
【図９】本発明の第２の実施の形態によるコネクタを示す斜視図である。
【図１０】図９のコネクタの分解斜視図である。
【図１１】従来のコネクタの例を示す分解斜視図である。
【図１２】従来の他のコネクタ及び相手側コネクタを示す斜視図である。
【発明を実施するための形態】
【００２０】
（第１の実施の形態）
図１及び図５を参照して、本発明の実施の形態によるコネクタ１０は、筐体（取付対象物：図示せず。以下同じ）等に取付けられるものである。コネクタ１０は、前端１１及び後端１２を有しており、Ｘ方向（前後方向）において前端１１から後端１２に向けて相手側コネクタ５０が挿入・接続される。図２及び図３に示されるように、コネクタ１０は、コンタクト９０と、コンタクト９０を保持する内部ハウジング１００と、内部ハウジング１００を部分的に覆う内部シェル２００と、内部シェル２００が挿入されることにより当該内部シェル２００を保持する外部ハウジング３００と、外部ハウジング３００を部分的に覆う外部シェル４００とを備えている。
【００２１】
図２に示されるように、コンタクト９０は、Ｚ方向（直交方向）に延びる垂直部分と、前後方向に延びる水平部分とを備えた略Ｌ字形状を有している。垂直部分には、基板等に固定される固定部９２と、基部９４とが設けられており、水平部分には、内部ハウジング１００に圧入され固定される圧入部９６と、相手側コネクタ５０の相手側コンタクト５１０（図６参照：詳しくは後述する）と電気的に接続する接続部９８とが設けられている。
【００２２】
内部ハウジング１００は、本体部１０２と、本体部１０２の前面上部から前方に突出するように形成された突出部１０４とを備えている。突出部１０４には、コンタクト９０の水平部を保持するための保持溝１０６が形成されている。本実施の形態においては、４つのコンタクト９０に対応すべく４つの保持溝１０６が形成されている。
【００２３】
内部シェル２００は、前端２０２、後端２０４、上板部２０６（被接続部）、側板部２０８、２１０、及び底板部２１２を有する略筒形状を有している。前端２０２には開口部２２０が形成されている。図２からも明らかである通り、本実施の形態における内部シェル２００の上板部２０６は、Ｚ方向と直交している面である。上板部２０６には、接続部２３０が形成されている。
【００２４】
図２及び図３に示されるように、接続部２３０は、内部シェル２００の上板部２０６の一部であって後端２０４を含む部分を前方（開口部２２０側）へ折り曲げて上方に延びるように構成されている。詳しくは、接続部２３０は、Ｚ方向に沿って延びる立上部２３２と、立上部２３２の上端から前方に延びる塞部２３４と、塞部２３４の前端から後方且つ上方（上斜め後ろ方向）に延びるバネ部２３６とを備えている。
【００２５】
図２及び図４から理解されるように、塞部２３４は略正方形形状を有している。塞部２３４の大きさは、後述する外部シェル４００の開口部４２０とほぼ同じである。塞部２３４のＹ方向両端部には、鍔部２３８が形成されている。鍔部２３８は、塞部２３４から鍔状にＹ方向に向けて延びている。換言すると、鍔部２３８の上面の高さは、塞部２３４の上面の高さよりも低い。図４から理解されるように、Ｙ方向において、鍔部２３８まで含めた塞部２３４の大きさは、外部シェル４００の開口部４２０よりも大きい。これにより、開口部４２０に塞部２３４をはめ込んだ場合、鍔部２３８は外部シェル４００の内部（上板部４１０の下）に位置することとなる。換言すれば、図４に示される状態においては、鍔部２３８は外部シェル４００の上板部４１０と重なっており、鍔部２３８の全体を外部シェル４００の上方から視認することができない。かかる構成によれば、塞部２３４が上板部４１０の上面から離れる方向（Ｚ方向）への移動（即ち、隙間ができること）を防止でき、また塞部２３４と開口部４２０の側端４２４との間に生じ得る隙間をなくすことができ、シールド効果を一層高めることができる。
【００２６】
本実施の形態によるバネ部２３６は、Ｙ方向において２つに分割されている。バネ部２３６は、筐体と当接（即ち、筐体に当たって接触）し、これにより、筐体と内部シェル２００とは接続部２３０を介して直接に電気的に接続される。なお、必要とされるバネ力や筐体の形状等に応じて、バネ部２３６の形状や分割数を適宜変更してもよい。
【００２７】
図２に示されるように、内部シェル２００は、側板部２０８、２１０夫々における後端２０４からＬ字形状（後端２０４からＹ方向に延び且つＸ方向に延びる形状）を呈するように延びる補助接続部２５０を有している。補助接続部２５０は、コネクタ１０の組み立て時（後述する）において、外部シェル４００と接続する部位である。また、図２及び図３から理解されるように、底板部２１２には、下方へ延び、基板等に固定される固定部２６０が形成されている。
【００２８】
外部ハウジング３００は、前端３０２、後端３０４、側板部３０８、３１０、上板部３０６及び底板部３１２を備える略筒形状を有している。前端３０２には開口部３２０が形成されている。図１及び図３から理解されるように、外部ハウジング３００の前端３０２は、本実施の形態によるコネクタ１０の最も前方に位置しており、コネクタ１０の前端１１として捉えることもできる。また、外部ハウジング３００の開口部３２０は、コネクタ１０の開口部でもある。外部ハウジング３００の後端３０４中央には前方に向かって凹む凹部３２２が形成されている。図３に示されているように、内部シェル２００を外部ハウジング３００に取付けた状態においては、内部シェル２００の接続部２３０における立上部２３２が外部ハウジング３００の凹部３２２内に位置し、塞部２３４は、外部ハウジング３００の上板部３０６上に位置する。図２及び図３に示されるように、外部ハウジング３００の側板部３０８、３１０夫々の下部のうち前端及び後端には、下方に突出した被保持部３２４が形成されている。
【００２９】
図３によく示されているように、外部ハウジング３００は、相手側コネクタ５０（図５参照）を収容する収容部３３０を有している。外部ハウジング３００は、収容部３３０の最奥の面から前方に突出するシェル収容部３３６を備えており、当該シェル収容部３３６内には、後方から挿入された内部シェル２００が収容されている。図３、図６及び図７から明らかなように、本実施の形態による収容部３３０の最奥の面は、相手側コネクタ５０の先端５４２と当たる突き当て部３３４として機能する。
【００３０】
図２及び図３を参照すると、内部シェル２００の上板部２０６と接続部２３０との境界２４０は、コネクタ１０の前端１１から後方に離れた位置に設けられている。即ち、境界２４０は、コネクタ１０の前端１１よりも後端２０４に近い位置にある。より詳しくは、図２に示されるように、境界２４０は、内部シェル２００の前端２０２よりも後方に位置し、且つ突き当て部３３４よりも後方に位置している。ここで、本実施の形態によるコネクタ１０のＸ方向における位置関係をまとめると、前から順に、コネクタ１０の前端１１（＝外部ハウジング３００の前端３０２）、内部シェル２００の前端２０２、突き当て部３３４、及び境界２４０（立上部２３２）という位置関係を有している。
【００３１】
外部シェル４００は、前端４０２、後側板部４０４、側板部４０６、４０８及び上板部４１０を有し、前面及び底面のない略箱状の形状を有している。各側板部４０６、４０８における前方及び後方には保持部４１６が形成されている。前方の保持部４１６は、前端４０２を含むようにして形成されている。なお、図２においては、保持部４１６が略Ｖ字状となるように内側へ折り曲げられた状態が描かれているが、コネクタ１０の組み立て前（後述する）においては下方へ延びており、組み立て後において図１及び図３に示されるように外部ハウジング３００の被保持部３２４に掛けるようにして折り曲げられる。これにより、外部シェル４００が外部ハウジング３００に取付固定される。更に、外部シェル４００の側板部４０６、４０８及び後側板部４０４には、外部シェル４００を基板等に固定するための固定部４１２が形成されている。固定部４１２は、下方に延びており、側板部４０６、４０８の前方の夫々に１つずつ、後側板部４０４の左右に１つずつ設けられている。
【００３２】
図１及び図２に示されるように、外部シェル４００の上板部４１０の中央付近には開口部４２０が形成されている。開口部４２０の後端には後方に凹んだ凹部４２２が形成されている。図１及び図４に示されるように、接続部２３０（特にバネ部２３６）は、開口部４２０を通じてコネクタ１０の上方に突出しており（図１）、バネ部２３６が筐体と接触することによって、内側シェルと筐体とが電気的に接続される。本実施の形態においては、バネ部２３６の反力により、筐体との接続を確実なものとすることができる。
【００３３】
図５及び図６に示されるように、相手側コネクタ５０は、相手側コンタクト５１０と、相手側コンタクト５１０を保持する相手側内部ハウジング５２０と、相手側内部ハウジング５２０を覆うように取り付けられている相手側シェル５３０と、相手側シェル５３０の周囲を覆う相手側外部ハウジング５４０とを備えている。相手側コンタクト５１０には、ケーブル５５０の導線５５２が接続されている。図７に示されるように、本実施の形態による相手側シェル５３０は、相手側内部ハウジング５２０の周囲（Ｘ方向と直交するすべての側面）を包囲している。
【００３４】
図１乃至図３に示されるように、コネクタ１０は、コンタクト９０を内部ハウジング１００に保持させ、当該内部ハウジング１００を内部シェル２００に後方から挿入し、当該内部シェル２００を外部ハウジング３００に後方から挿入した後に、外部ハウジング３００を外部シェル４００に対して下方から取付けることにより組み立てられる。
【００３５】
図８に示されるように、相手側コネクタ５０は、コネクタ１０の前端１１から挿入される。嵌合状態においては、相手側シェル５３０は、内部シェル２００の開口部２２０内に収容され、相手側コネクタ５０の先端５４２は、外部ハウジング３００の突き当て部３３４に近接又は当たる。また、相手側コンタクト５１０と、コンタクト９０の接続部９８とが電気的に接続し、相手側コネクタ５０の相手側シェル５３０と、内部シェル２００とが電気的に接続する。上述したように、内部シェル２００の接続部２３０は筐体と直接に電気的に接続されることから、相手側シェル５３０と筐体とが直接に電気的に接続されることとなり、効率の良いグランド経路を確保することができる。
【００３６】
以上説明したように、本実施の形態によれば、接続部２３０と内部ハウジング１００との境界２４０を突き当て部３３４よりも後方に位置させていることから、内部シェル２００（特に接続部２３０）と相手側コネクタ５０とが干渉することなく、コネクタ同士を接続（嵌合）させることができる。即ち、例えば、相手側ハウジングの一部を除去する（相手側シェルを露出させる：図１２参照）必要がないことから、相手側シェル５３０の周囲を保護することができる。これにより、相手側シェル５３０の接触面に傷が生じたり、異物等の付着による内部シェルとの接触不良等を防ぐことができ、高いシールド効果をも得ることができる。
【００３７】
なお、図３において、境界２４０は、Ｘ方向において、突き当て部３３４と同じ位置としてもよい。即ち、接続部２３０の立上部２３２を突き当て部３３４として使用するような構成としてもよい。境界２４０は、少なくともコネクタ１０の前端１１よりも後方に位置することとすれば、相手側コネクタ５０において接続部２３０と干渉する部分を少なくすることができる（即ち、部分的ではあっても、相手側シェル５３０を相手側外部ハウジング５４０によって包囲することができ、相手側シェル５３０を保護することができる）。しかし、相手側外部ハウジング５４０による包囲可能な範囲を広げるためには、境界２４０は、内部シェル２００の前端２０２（開口部２２０）よりも後方に位置することが好ましく、最も好ましくは、嵌合時において相手側コネクタ５０の先端５４２よりも更に後方に位置させる構成（本実施の形態のように突き当て部３３４よりも後方に位置させる構成）である。このように、突き当て部３３４よりも後方に位置させる構成によれば、相手側コネクタ５０の先端５４２付近の構造（嵌合部分）において、接続部２３０との干渉を防ぐための制限が課されないことから、既存の相手側コネクタ５０を使用することができることに加え、相手側コネクタ５０の先端５４２付近の構造の自由度を向上させることも可能となる。
【００３８】
図２に示されるように、本実施の形態による接続部２３０は、内部シェル２００の後端２０４を含む部分を前方へ折り曲げて上方に延びるように構成されていた。しかし、内部シェル２００の前端２０２を含む部分を後方へ折り曲げて構成することとしてもよい。ただし、この場合、接続部２３０を折り曲げることによって、内部シェル２００の開口部２２０の上部に後方へ凹状に欠落する部分ができてしまうため、内部シェル２００の強度等を考慮するならば、本実施の形態のように、後端２０４を含む部分を前方へ折り曲げる構成の方がより好ましい。
【００３９】
また、本実施の形態における接続部２３０は内部シェル２００の上板部２０６に形成されていたが、内部シェル２００のうち、Ｘ方向と直交する方向に交差（直交）する面、即ち、側板部２０８、２１０、又は底板部２１２のいずれかに形成することとしてもよい。この場合、外部ハウジング３００の凹部３２２、及び外部シェル４００の開口部４２０の位置についても、接続部２３０と対応する位置に形成すればよい。また、複数の接続部２３０を内部シェル２００に設けることとしてもよい。
【００４０】
図１及び図２に示されるように、本実施の形態においてコネクタ１０の上方においては、コネクタ１０と筐体とを接続する部材は、バネ部２３６のみであるが、例えば、外部シェル４００の上板部４１０において外部シェル４００と筐体とを電気的に接続する部材（バネ等の導体部品）を追加的に取付けて接続抵抗をより低くすることとしてもよい。また、外部シェル４００と筐体とを電気的に接続する追加的な部材は、筐体側に設けられていてもよい。更に、内部シェル２００のバネ部２３６の代わりに他の導体部品を用いて、接続部２３０と筐体とを直接に電気的に接続することとしてもよい。
【００４１】
（第２の実施の形態）
図９及び図１０に示されるように、本発明の第２の実施の形態によるコネクタ１０ａは、内部シェル２００ａの接続部２３０ａ及び外部シェル４００ａの構造が第１の実施の形態のものとは異なっており、他の構成は第１の実施の形態のものと同一である。従って、以下の説明においては、内部シェル２００ａ及び外部シェル４００ａの構造について特に言及する。
【００４２】
内部シェル２００ａの上板部２０６には、接続部２３０ａが形成されている。接続部２３０ａは、内部シェル２００ａにおける上板部２０６の一部であって後端２０４を含む部分を前方へ折り曲げて上方に延びるように構成されている。接続部２３０ａには、Ｚ方向に沿って延びる立上部２３２と、立上部２３２の上端から前方に延びる塞部２３４と、塞部２３４の前端から上方に延びるフランジ２７０とを備えている。
【００４３】
フランジ２７０は、塞部２３４に対して９０度の角度で上方に延びている。フランジ２７０には、取付孔２７２が形成されている。
【００４４】
外部シェル４００ａの上板部４１０には、開口部４２０と開口部４２０の前端４２６には、上板部４１０と９０度の角度で上方に延びているフランジ４３０が形成されている。フランジ４３０には、取付孔４３２が形成されている。図９に示されるように、コネクタ１０ａの組み立て後において、内部シェル２００ａのフランジ２７０と、外部シェル４００のフランジ４３０とはＸ方向において重なっており、フランジ２７０の取付孔２７２と、フランジ４３０の取付孔４３２の位置も一致している。かかるフランジ２７０及びフランジ４３０は、取付孔２７２及び取付孔４３２を用いて筐体にねじ止め等される。
【符号の説明】
【００４５】
１０、１０ａ        コネクタ
１１        前端
１２        後端
５０        相手側コネクタ
９０        コンタクト
９２        固定部
９４        基部
９６        圧入部
９８        接続部
１００        内部ハウジング
１０２        本体部
１０４        突出部
１０６        保持溝
２００、２００ａ        内部シェル
２０２        前端
２０４        後端
２０６        上板部（被接続部）
２０８、２１０        側板部
２１２        底板部
２２０        開口部
２３０、２３０ａ        接続部
２３２        立上部
２３４        塞部
２３６        バネ部
２３８        鍔部
２４０        境界
２５０        補助接続部
２６０        固定部
２７０        フランジ
２７２        取付孔
３００        外部ハウジング
３０２        前端
３０４        後端
３０６        上板部
３０８、３１０        側板部
３１２        底板部
３２０        開口部
３２２        凹部
３２４        被保持部
３３０        収容部
３３４        突き当て部
３３６        シェル収容部
４００、４００ａ        外部シェル
４０２        前端
４０４        後側板部
４０６、４０８        側板部
４１０        上板部
４１２        固定部
４１６        保持部
４２０        開口部
４２２        凹部
４２４        側端
４２６        前端
４３０        フランジ
４３２        取付孔（取付部）
５１０        相手側コンタクト
５２０        相手側内部ハウジング
５３０        相手側シェル
５４０        相手側外部ハウジング
５４２        先端
５５０        ケーブル
５５２        導線
【要約】      （修正有）【課題】コネクタの内部シェルと筐体との直接的な電気的接続を確保すると共に、内部シェルと相手側シェルとにおける接触不良等を防止可能なコネクタを提供すること。【解決手段】本発明によるコネクタは、取付対象物に取付けられるものであり、前端から後端に向けて相手側コネクタが挿入され、コンタクト９０を保持する内部ハウジング１００と、内部ハウジング１００を覆う内部シェル２００と、内部シェル２００を保持する外部ハウジング３００と、外部ハウジング３００を覆う外部シェル４００とを備えている。内部シェル２００は、被接続部２０６と、被接続部２０６から延びて取付対象物に直接接続される接続部２３０とを有している。かかるコネクタにおいて、被接続部２０６と接続部２３０との境界２４０を、コネクタの前端から後方に離れた位置に形成したこと。【選択図】図２【図１】
0005392931.tif 000002
【図２】
0005392931.tif 000003
【図３】
0005392931.tif 000004
【図４】
0005392931.tif 000005
【図５】
0005392931.tif 000006
【図６】
0005392931.tif 000007
【図７】
0005392931.tif 000008
【図８】
0005392931.tif 000009
【図９】
0005392931.tif 000010
【図１０】
0005392931.tif 000011
【図１１】
0005392931.tif 000012
【図１２】
0005392931.tif 000013